(57)【要約】【課題】好適に、観覧席などの付帯設備を新設（増設／移設）して既存のスタジアムを改修することを可能にする方法を提供する。【解決手段】グラウンド１の周囲に付帯設備２を配設してなるスタジアムＡを改修する方法であって、グラウンド１の周囲の所望の位置に付帯設備６を新設する付帯設備新設改修工程と、付帯設備６を新設した状態にプレーエリアの向きを合わせるようにグラウンド１を改修するグラウンド移設改修工程とを備える。【選択図】図１１
2018044334.tif 000002
【特許請求の範囲】
【請求項１】
グラウンドの周囲に付帯設備を配設してなるスタジアムを改修する方法であって、
前記グラウンドの周囲の所望の位置に前記付帯設備を新設する付帯設備新設改修工程と、
前記付帯設備を新設した状態にプレーエリアの向きを合わせるように前記グラウンドを改修するグラウンド移設改修工程とを備えることを特徴とするスタジアムの改修方法。
【請求項２】
請求項１記載のスタジアムの改修方法において、
前記スタジアムが野球場であり、前記付帯設備が観覧席であることを特徴とするスタジアムの改修方法。
【発明の詳細な説明】
【技術分野】
【０００１】
本発明は、野球場などのスタジアムの改修方法に関する。
【背景技術】
【０００２】
例えば、野球場のスタジアムは、内外野のフェアグラウンド及びファールグラウンドのグラウンドの周囲に、グラウンドから外側に向かうに従い上方に傾斜する略すり鉢状で階段状の観覧席（観客席）や、照明設備等の付帯設備を備えて構築されている。
【０００３】
一方、このようなスタジアムは観覧席の増設（新設）改修などを行うケースが多々ある。これに対し、都市部のスタジアムなどでは、スタジアムの外側に部分的に公園敷地などのスペースがあるが、スタジアムの外側全体に余裕をもってスペースがあるケースがほとんどない。また、スタジアムの外側に部分的にスペースがある場合においても、その余裕スペースが観覧席の増築などに適した領域にないことが多い。
【０００４】
このため、従来、観覧席の増設改修を行う場合に、ファールグラウンドに観客席を新設し、さらに、新設の観覧席を可動観覧席としてこれを撤去又は移動することによりグラウンドの形状をイベント等の開催に応じて適宜変更できるようにするケースが多くなっている（例えば、特許文献１参照）。
【先行技術文献】
【特許文献】
【０００５】
【特許文献１】特開平１０−１８６２１号公報
【発明の概要】
【発明が解決しようとする課題】
【０００６】
しかしながら、上記従来のスタジアムの改修方法では、グラウンド領域に観覧席を増設するため、当然グラウンドが狭くなる。また、グラウンドに増設できる観覧席には限りがあり、望むほどに観覧席を増設できないケースが多い。
【０００７】
上記事情に鑑み、本発明は、好適に、観覧席などの付帯設備を新設（増設／移設）して既存のスタジアムを改修することを可能にする方法を提供することを目的とする。
【課題を解決するための手段】
【０００８】
上記の目的を達するために、この発明は以下の手段を提供している。
【０００９】
本発明のスタジアムの改修方法は、グラウンドの周囲に付帯設備を配設してなるスタジアムを改修する方法であって、前記グラウンドの周囲の所望の位置に前記付帯設備を新設する付帯設備新設改修工程と、前記付帯設備を新設した状態にプレーエリアの向きを合わせるように前記グラウンドを改修するグラウンド移設改修工程とを備えることを特徴とする。
【００１０】
また、本発明のスタジアムの改修方法においては、前記スタジアムが野球場であり、前記付帯設備が観覧席であることが望ましい。
【発明の効果】
【００１１】
本発明のスタジアムの改修方法においては、グラウンドの周囲の所望の任意の位置に観覧席などの付帯設備を新設（増設／移設）改修し、観覧席などの付帯設備を新設した状態にプレーエリアの向きを合せるようにしてグラウンドの改修を行う。
【００１２】
これにより、スタジアムの外側に部分的に公園敷地などのスペースがあるが、スタジアムの外側全体に余裕をもってスペースがない場合であっても、部分的なスペースに付帯設備を新設し、これにプレーエリアの向きを合せるようにグラウンドを改修することで、既存のスタジアムに対して観覧席の増設改修などを好適に施すことができる。すなわち、グラウンド領域に観覧席を新設するなどの従来改修手法と比較し、スタジアムの改修計画の自由度を格段に高めることができる。
【００１３】
また、スタジアムを利用しながら改修工事を進めることもできる。
【図面の簡単な説明】
【００１４】
【図１】本発明の一実施形態に係るスタジアムの改修方法を適用する既存のスタジアムの一例を示す平面図である。
【図２】本発明の一実施形態に係るスタジアムの改修方法において、外野席側の外側の余裕スペースに１階基礎・柱、２階コンコース床、照明設備を新設した状態を示す平面図である。
【図３】本発明の一実施形態に係るスタジアムの改修方法において、外野席側の外側の余裕スペースに１階基礎・柱、２階コンコース床、照明設備を新設した状態を示す側断面図である。
【図４】本発明の一実施形態に係るスタジアムの改修方法において、３階コンコース床を新設した状態、及び外野席を交換改修した状態を示す平面図である。
【図５】本発明の一実施形態に係るスタジアムの改修方法において、外野席側の外側の余裕スペースに新設した２階コンコース床上に２階柱、３階コンコース床・柱、４階コンコース床を新設するとともに、この新設部分に観覧席を新設した状態を示す側断面図である。
【図６】本発明の一実施形態に係るスタジアムの改修方法において、外野席側の外側の余裕スペースに新設した２階コンコース床上に２階柱、３階コンコース床・柱、４階コンコース床を新設するとともに、この新設部分に観覧席を新設した状態、及び撤去する看板を示す平面図である。
【図７】本発明の一実施形態に係るスタジアムの改修方法において、外野席側の外側の余裕スペースに新設した４階コンコース床上に、４階ＶＩＰフロアを設けた状態を示す平面図である。
【図８】本発明の一実施形態に係るスタジアムの改修方法において、外野席側の外側の余裕スペースに５階コンコース床を新設した状態を示す平面図である。
【図９】本発明の一実施形態に係るスタジアムの改修方法において、外野席側の外側の余裕スペースに新設した４階コンコース床上に、４階ＶＩＰフロア・柱、５階コンコース床を新設した状態を示す側断面図である。
【図１０】本発明の一実施形態に係るスタジアムの改修方法において、外野席側の外側の余裕スペースに新設した５階コンコース床上に観覧席を新設した状態を示す平面図である。
【図１１】本発明の一実施形態に係るスタジアムの改修方法において、外野席側の外側の余裕スペースに新設した観覧席に合わせ、グラウンドの向きを変えた状態（スタジアムの改修工事を完了した状態）を示す平面図である。
【図１２】本発明の一実施形態に係るスタジアムの改修方法において、外野席側の外側の余裕スペースに新設した５階コンコース床上に観覧席を増設し、スタジアムの改修工事を完了した状態を示す側断面図である。
【発明を実施するための形態】
【００１５】
以下、図１から図１２を参照し、本発明の一実施形態に係るスタジアムの改修方法について説明する。なお、本実施形態では、本発明に係るスタジアムの改修方法を適用し、プロ野球で使用される野球場の観覧席を新設（増設／移設）するものとして説明を行う。
【００１６】
はじめに、本実施形態のスタジアムの改修方法を適用する既存のスタジアムＡは、フェアグラウンド１ａ及びファールグラウンド１ｂからなるグラウンド１の周囲に、このグラウンド１を取り囲むように、且つグラウンド１から外側に向かうに従い上方に傾斜する略すり鉢状で階段状の観覧席（付帯設備）２を備えて構築されている。また、本実施形態の既存のスタジアムＡはファールグラウンド１ｂに観覧席２が増設されている。観覧席の外周側には、グラウンド１／スタジアムＡの周方向に所定の間隔をあけて複数の照明設備３や、バックスクリーン４などの他の付帯設備が設けられている。
【００１７】
また、この既存のスタジアムＡは、外野席側の外側に公園敷地などの余裕スペースＳ１があるのに対し、内野席側の外側に道路や鉄道などが近接し、内野席側のスタジアムＡの外側には余裕スペースＳ１がない状態で構築されている。
【００１８】
そして、本実施形態では、本発明に係るスタジアムの改修方法を用い、上記の既存のスタジアムＡに対して観覧席の新設改修を行う。
【００１９】
具体的に、例えば、本実施形態のスタジアムＡの改修方法では、図１、図２及び図３に示すように、まず、改修工事初年度のプロ野球のオフシーズンの間に、外野席側の照明設備３を撤去し、外野席側の外側の余裕スペースＳ１に１階基礎・柱、２階コンコース床の新設部Ｐ１を新設する（付帯設備新設改修工程）。また、新設部Ｐ１の外周側の余裕スペースＳ１の所定位置に、照明設備５を新設する。さらに、このオフシーズンに内野席側の観覧席２の交換改修を行う。
【００２０】
次に、図４、図５及び図６に示すように、改修工事初年度のプロ野球のオンシーズンの間に、外野席側の余裕スペースＳ１に新設した２階コンコース床上に２階柱、３階コンコース床・柱、４階コンコース床を新設し、新設部Ｐ２を構築する。これとともに、この４階分の新設部Ｐ１、Ｐ２に、既存の外野席に繋げるようにして外側に向かうに従い上方に傾斜する略すり鉢状で階段状の観覧席６を新設（増設）する。また、外野席側に設けられた既存の看板７等を撤去する。
【００２１】
次に、図７、図８及び図９に示すように、改修工事次年度のプロ野球のオフシーズンの間に、外野席側の余裕スペースＳ１に新設した４階コンコース床上に４階柱、４階ＶＩＰフロア、５階コンコース床を新設し、新設部Ｐ３を構築する。また、外野席側の余裕スペースＳ１の新設部Ｐ１、Ｐ２、Ｐ３の構築に合わせ、適宜期間中に照明設備８を所定位置に新設する（図１０参照）。
【００２２】
さらに、図１０及び図１２に示すように、改修工事次年度のプロ野球のオフシーズンやオンシーズンの間に、外野席側の余裕スペースＳ１に新設した５階コンコース床上に観覧席６を新設する。
【００２３】
そして、図１、図１１（及び図１２）に示すように、改修工事次年度のプロ野球のオフシーズンやオンシーズンの間に、既存のバックスクリーン４の撤去、及び既存のスタジアムＡのバックネット裏側にバックスクリーン１０を新設する。これとともに、既存のスタジアムＡのフェアグラウンド１ａ及びファールグラウンド１ｂからなるグラウンド（プレーエリア）１全体の向きを真逆に変更する。すなわち、グラウンド１全体を１８０°回転するように改修する（グラウンド移設改修工程）。また、既存のスタジアムＡのファールグラウンド１ｂに増設された観覧席２を新たなファールグラウンド１ｂに移設する。なお、本実施形態では、この段階で２階部分にペデスリアンデッキ１１の新設も行う。
【００２４】
このように、本実施形態のスタジアムＡの改修方法では、図１１及び図１２に示す通り、グラウンド１の周囲の所望の任意の位置に観覧席６などの付帯設備を新設（増設／移設）改修し、観覧席６などの付帯設備を新設した状態にプレーエリアの向きを合せるようにしてグラウンド１の改修を行う。
【００２５】
なお、余裕スペースＳ１（既存のスタジアムＡの外側のスペース）での改修工事については、オンシーズンでもオフシーズンでも行うことができる。また、照明、バックスクリーン、グランド、観客席（既存スタジアム内）など、競技にかかわる（競技に必要な）施設／設備の改修工事については、オフシーズンに行うことを基本とするが、短期間（数日から数週間程度）で可能な工事／工程についてはオンシーズンに行うことも可能である。
【００２６】
これにより、本実施形態のスタジアムＡの改修方法においては、スタジアムＡの外側に部分的に公園敷地などのスペースＳ１があるが、スタジアムＡの外側全体に余裕スペースＳ１がない場合であっても、部分的な余裕スペースＳ１に観覧席６などの付帯設備を新設し、これにプレーエリアの向きを合せるようにグラウンド１を改修することで、既存のスタジアムＡに対して観覧席６などの増設改修を好適に施すことができる。
【００２７】
よって、本実施形態のスタジアムＡの改修方法によれば、グラウンド１領域に観覧席を新設するなどの従来改修手法と比較し、スタジアムＡの改修計画の自由度を格段に高めることができる。
【００２８】
また、本実施形態のスタジアムＡの改修方法においては、スタジアムＡを利用しながら改修工事を進めることができる。
【００２９】
以上、本発明に係るスタジアムの改修方法の一実施形態について説明したが、本発明は上記の一実施形態に限定されるものではなく、その趣旨を逸脱しない範囲で適宜変更可能である。
【００３０】
例えば、本実施形態では、本発明に係る付帯設備は、照明設備、大型映像装置などのモニタ、防風・遮光設備など、観覧席以外の付帯設備であっても構わない。
【００３１】
さらに、本発明は、サッカー、ラグビー、テニス、陸上競技などのプレーヤードを備えたグラウンドを取り囲むように観客席、照明、防風・遮光板等の設備が設けられているスポーツ競技用のあらゆるスタジアム、また、コンサート会場などに用いられるあらゆるスタジアムを改修する際に適用可能である。
【００３２】
さらに、本実施形態では、観覧席の増設した状態に合わせ、野球場のフェアグラウンドとファールグラウンドのグラウンド全体の向きを真逆に変更するものとして説明を行ったが、付帯設備を新設改修した状態（位置）に合わせてプレーヤードの向きを所望の向きに変えるようにすればよく、本実施形態のように真逆にグラウンドの向きを変えることに限定する必要はない。また、グラウンド全体ではなく、付帯設備の新設改修した状態に応じて、変更すべきプレーヤード（グラウンドの一部）の向きを変えるようにしても構わない。
【符号の説明】
【００３３】
１    グラウンド
１ａ  フェアグラウンド
１ｂ  ファールグラウンド
２    観覧席（付帯設備）
３    照明設備（付帯設備）
４    バックスクリーン（付帯設備）
５    照明設備（付帯設備）
６    観覧席（付帯設備）
７    看板
８    照明設備（付帯設備）
１０  バックスクリーン（付帯設備）
１１  ペデスリアンデッキ
Ａ    スタジアム
Ｓ１  余裕スペース
【図１】
2018044334.tif 000003
【図２】
2018044334.tif 000004
【図３】
2018044334.tif 000005
【図４】
2018044334.tif 000006
【図５】
2018044334.tif 000007
【図６】
2018044334.tif 000008
【図７】
2018044334.tif 000009
【図８】
2018044334.tif 000010
【図９】
2018044334.tif 000011
【図１０】
2018044334.tif 000012
【図１１】
2018044334.tif 000013
【図１２】
2018044334.tif 000014